(57)【要約】【課題】肌を押圧したり摘み上げたりすることによりマッサージ効果を効率よく行なうことができる美容器を提供する。【解決手段】美容器１１のフレーム１２には２対の支持軸１３，１４，１５，１６が突設されている。各支持軸１３〜１６には、マッサージ用のほぼ球体形状のローラ１７〜２０がそれぞれ回転可能に支持されている。移動方向に整列している支持軸１３，１５（又は支持軸１４，１６）は、移動方向軸に対して同じ方向側に傾斜させたように配置されている。この美容器１１を移動させると、先行のローラ１７，１８によって、肌を押圧するようなマッサージ効果が得られた箇所に、後行のローラ１９，２０によって再び押圧するようなマッサージ効果が得られ、又は、先行のローラ１９，２０によって、肌を摘み上げるようなマッサージ効果が得られた箇所に、後行のローラ１７，１８によって再び摘み上げるようなマッサージ効果が得られる。【選択図】図５
2014226335.tif 000002
【特許請求の範囲】
【請求項１】
複数対の回転体と、
前記各回転体を回転可能に支持する支持軸と、
前記支持軸を固定する本体とを備えた美容器であって、
前記回転体は、使用時に移動する方向に延在する移動方向軸の両側に配置される２つの回転体を１対として、前記移動方向軸に複数対が並んでおり、
前記各回転体の支持軸を、前記本体に前記支持軸が固定された固定位置を基準にして、前記移動方向軸に対して同じ方向側に傾斜させたことを特徴とする美容器。
【請求項２】
前記固定位置を基準にして、前記各回転体の支持軸を同じ角度で傾斜させたことを特徴とする請求項１に記載の美容器。
【請求項３】
前記対となる回転体を支持する支持軸の固定位置の固定距離が、他の対における固定距離と一致することを特徴とする請求項１又は２に記載の美容器。
【請求項４】
２対の前記回転体を備えたことを特徴とする請求項１〜３のいずれか１項に記載の美容器。
【請求項５】
前記本体には、前記移動方向に移動させるために把持するハンドルが設けられていること特徴とする請求項１〜４のいずれか１項に記載の美容器。
【発明の詳細な説明】
【技術分野】
【０００１】
本発明は、肌をマッサージするためのローラが設けられた美容器に関する。
【背景技術】
【０００２】
従来、この種の美容器としては、例えば特許文献１及び特許文献２に開示されるような構成が提案されている。
特許文献１には、本体上に３個のステンレス球が等間隔をおいた状態で、ボール支えを介して回転可能に支持された美顔ローラが記載されている。美顔ローラの各ステンレス球が肌に押し当てられて移動されることにより、肌がマッサージされる。
【０００３】
また、特許文献２には、ハンドルの先端に２個の球体状のローラが、先広がり状の一対の軸線を中心に回転可能に支持された美容用ローラが記載されている。この美容用ローラハンドルを把持して、往復移動させることにより、肌がマッサージされる。
【先行技術文献】
【特許文献】
【０００４】
【特許文献１】実用新案登録第３１５１５９８号公報
【特許文献２】意匠登録第１４２６５７５号公報
【発明の概要】
【発明が解決しようとする課題】
【０００５】
ところが、これらの従来の美容器においては、次のような問題があった。
特許文献１に記載の美顔ローラでは、各ステンレス球は肌を押圧したり、肌の上を転がったりするだけである。このため、ある程度のマッサージ効果を得ることはできても、美肌になるためのマッサージ効果までを得ることは難しかった。
【０００６】
一方、特許文献２に記載の美容用ローラでは、２個の球体状のローラによりマッサージ効果を得ることができる。さらに、特許文献２の構成においては、両ローラが肌に押し当てられた状態で、回転しながら移動されたときには、両ローラ間において肌を摘み上げるようなマッサージ効果を得ることができる。しかしながら、一対のローラしかない場合、一回の移動で、一回のマッサージ効果しか得られなかった。
【０００７】
本発明は、このような従来の技術に存在する問題点に着目してなされたものである。その目的は、肌への押圧や摘み上げによるマッサージ効果を効率よく行なうことができる美容器を提供することにある。
【課題を解決するための手段】
【０００８】
上記の目的を達成するために、この美容器は、複数対の回転体と、前記各回転体を回転可能に支持する支持軸と、前記支持軸を固定する本体とを備えた美容器であって、前記回転体は、使用時に移動する方向に延在する移動方向軸の両側に配置される２つの回転体を１対として、前記移動方向軸に複数対が並んでおり、前記各回転体の支持軸を、前記本体に前記支持軸が固定された固定位置を基準にして、前記移動方向軸に対して同じ方向側に傾斜させたことを特徴とする。
【０００９】
この構成によれば、美容器を移動させると、一対の回転体によって、肌を押圧し又は摘み上げるようなマッサージ効果が得られる。この場合、先行する一対の回転体によって押圧された箇所が、後行する一対の回転体によって再び押圧され、又は先行する一対の回転体によって摘み上げられた箇所が、後行する一対の回転体によって再び摘み上げられる。このため、複数対の回転体によって、肌に押圧又は摘み上げのマッサージを短時間で繰り返して行なうことができる。このため、肌は同じ方向に同じ刺激を繰り返して受けるので、リンパの流れを更に促進することができる。
【００１０】
上記美容器について、前記固定位置を基準にして、前記各回転体の支持軸を同じ角度で傾斜させたことが好ましい。この構成によれば、１回の移動で、同じマッサージ効果を繰り返して得ることができるので、効率的にマッサージを行なうことができる。
【００１１】
上記美容器について、前記対となる回転体を支持する支持軸の固定位置の固定距離が、他の対における固定距離と一致することが好ましい。この構成によれば、対になる回転体によって同じ範囲の肌に対して刺激を繰り返して行なうことができるので、効率よくマッサージすることができる。
【００１２】
上記美容器について、２対の前記回転体を備えたことが好ましい。この構成によれば、４つの回転体により実現することができる。
上記美容器について、前記本体には、前記移動方向に移動させるために把持するハンドルが設けられていることが好ましい。この構成によれば、ハンドルを把持して美容器を移動させることにより、容易に美容器を移動させることができる。
【発明の効果】
【００１３】
本発明によれば、肌への押圧や摘み上げによるマッサージ効果を効率よく行なうことができる。
【図面の簡単な説明】
【００１４】
【図１】一実施形態の美容器を示す斜視図。
【図２】図１の美容器を底面側から見て示す斜視図。
【図３】同美容器の平面図。
【図４】同美容器の作用状態を示す図であって、（ａ）は押圧の作用状態を示す正面図、（ｂ）は摘み上げの作用状態を示す背面図。
【図５】同美容器の作用状態の側面図であって、（ａ）は押圧及び（ｂ）は摘み上げの作用状態を示す側面図。
【図６】図３の６−６線における拡大断面図。
【図７】図６の７−７線における部分拡大断面図。
【図８】ローラの支持構成を示す断面図。
【図９】ローラの支持構成の変更例を示す断面図。
【図１０】ローラの支持構成の別の変更例を示す断面図。
【図１１】ローラの形状の変更例を示す側面図。
【図１２】ローラの形状の別の変更例を示す側面図。
【図１３】ローラの形状のさらに別の変更例を示す側面図。
【図１４】ローラの形状のさらに別の変更例を示す側面図。
【発明を実施するための形態】
【００１５】
以下、美容器の一実施形態を図面に従って説明する。
図１及び図２に示すように、この実施形態の美容器１１は、ハンドル２２、本体としてのフレーム１２、フレーム１２に取り付けられたローラ１７〜２０を備えている。この美容器１１は、後述するように、矢印Ｐ１方向又はこの反対方向に移動する。矢印Ｐ１方向及びこれと反対方向に延在する軸が移動方向軸となる。
【００１６】
ハンドル２２は、フレーム１２の上面全体を覆う大きさであって、ほぼ小判形の形状の中央部に円弧凹状が形成された形状をしている。ハンドル２２の詳細については、後述する。
【００１７】
図２に示すように、フレーム１２の隅角部には、４本の脚部１２１が突出形成されている。各脚部１２１には、合計４本の支持軸１３，１４，１５，１６が突設されている。各支持軸１３〜１６は、長四角形のコーナ部を構成するように配置されている。
【００１８】
図４に示すように、長方形の短辺の両端には、短辺を挟む支持軸１３，１４（又は支持軸１５，１６）が対となって配置されている。すなわち、対となる支持軸１３，１４（又は支持軸１５，１６）は、移動方向軸の両側に配置されることになる。そして、対となる支持軸１３，１４及び支持軸１５，１６は、正面投影において先広がり傾斜状をなし、各対の支持軸１３，１４（支持軸１５，１６）の先端は、間隔Ｌ１だけ離れるように形成されている。
【００１９】
また、図５に示すように、各対を構成する支持軸１３〜１６において、長方形の同じ長辺側に位置する支持軸１３，１５（又は支持軸１４，１６）は、移動方向に整列して配置されている。更に、移動方向に整列している各支持軸１３，１５（又は支持軸１４，１６）は、フレーム１２に各支持軸１３〜１６が固定された固定位置を基準にして、移動方向軸に対して同じ角度で傾斜するように配置されている。本実施形態では、支持軸１３，１５（又は支持軸１４，１６）の間隔Ｌ２は、間隔Ｌ１より広くしている。この間隔Ｌ２は、移動方向において先行する１対のローラ（例えば、ローラ１７，１８）による肌への刺激に対して、後行のローラ（例えば、ローラ１９，２０）により、肌領域への刺激を連続して行なえる距離に配置されている。
【００２０】
図２及び図８に示すように、前記各支持軸１３〜１６の先端部には、それぞれ回転体としてのローラ１７，１８，１９，２０が軸受４０を介して回転可能に支持されている。各ローラ１７〜２０は、全体としてほぼ球体状であるが、支持軸１３〜１６側は半球よりも、僅かに円錐台に近い形状で形成されている。本実施形態では、各ローラ１７〜２０の円錐台の中心軸となるように各支持軸１３〜１６が配置されている。すなわち、各ローラ１７〜２０の回転の中心となる自身の中心軸線１０１は、支持軸１３〜１６の中心軸線１００と一致している。各ローラ１７〜２０の外表面には、多数の三角状の小平面１７１，１８１，１９１，２０１が区画形成されている。各ローラ１７〜２０は、合成樹脂により形成されており、その外表面には、導電材料を構成する金属メッキが施されている。ハンドル２２の金属メッキとローラ１７〜２０の金属メッキとの間は電気絶縁されている。
【００２１】
図６は、図３の６−６線における拡大断面図である。この図６に示すように、フレーム１２の中央部には、ローラ１７〜２０の中央に開口した窪み部が形成されている。この窪み部の中央には、開口側に突出したボス部２１が形成されている。このボス部２１には、支軸２３が挿通されており、この支軸２３はハンドル２２の下面中央に突設されている。支軸２３の下端部に固定されたバネ座２４とボス部２１の下端縁との間には、ハンドル２２を図６の下方に向かって移動付勢するバネ２５が介装されている。これにより、フレーム１２は、支軸２３を介して、この支軸２３の延在方向に移動可能に、かつこの支軸２３の延在方向に直交する平面上において回転可能に支持されている。
【００２２】
図７は、図６の７−７線における部分拡大断面図である。図６及び図７に示すように、フレームの中央部には、ハンドル２２側に突出した突起部が形成されている。この突起部の上面には、複数対の半球状の係合凹部２８，２９，３０，３１が形成されている。この係合凹部２８〜３１は、支軸２３の軸心を中心とする同一円周上において４５度の間隔をおいて形成されている。
【００２３】
図３に示すように、ハンドル２２は、小判形状の中央部に、円弧凹状の把持部２２１が形成されている。ハンドル２２は、合成樹脂により形成されており、その外表面には、導電材料を構成する金属メッキが施されている。
【００２４】
図６に示すように、前記ハンドル２２の下面中央には、金属製のカラー２６が埋設状態で固定されている。カラー２６の下面には、一対の半球状の係合突起２７が、支軸２３の軸心を中心として１８０度の間隔をおいて形成されている。フレーム１２に対してハンドル２２が回転するときに、このカラー２６の係合突起２７が、各対の係合凹部２８〜３１に係合される。これにより、ハンドル２２の回動位置が４５度毎に規制されて、ハンドル２２の向きが４５度おきに３６０度の範囲で任意に調節される。この場合、係合凹部の数や配列ピッチを変更することにより、ハンドル２２の調節角度や角度範囲を任意に設定できる。従って、係合突起２７及び係合凹部２８〜３１によってハンドル２２を複数の向きにおいて保持する保持機構が構成されている。
【００２５】
図１、図３及び図６に示すように、前記ハンドル２２の上面には、一対の凹部３２が形成されている。各凹部３２内には、太陽電池パネル３３が設置されている。太陽電池パネル３３の出力は図示しない給電線を介して前記各ローラ１７〜２０の導電メッキ及びハンドル２２の金属メッキに供給される。従って、各金属メッキは太陽電池パネル３３の出力端子を構成する。従って、太陽電池パネル３３で発電された電力が、各ローラ１７〜２０及びハンドル２２の金属メッキに供給される。これにより、美容器１１の使用時に、それらの導電部間に人体を介在させた電路が形成され、ローラ１７〜２０とハンドル２２の間において肌を含む身体に微弱電流が流れて、身体への刺激増進により美容的効果が高められる。
【００２６】
次に、前記のように構成された美容器１１の作用を説明する。
この美容器１１のハンドル２２の把持部２２１を把持して、各ローラ１７〜２０をマッサージしたい箇所の肌３４に押し当てる。そして、美容器１１を、狭い間隔で配置されたローラ１７，１８及びローラ１９，２０の各配置方向と直交する方向に移動させる。例えば、図３における矢印Ｐ１方向に移動させる。
【００２７】
この場合、図３の円弧矢印Ｑ１，Ｑ２，Ｑ３，Ｑ４で示すように、各ローラ１７〜２０が回転する。ここで、移動方向（矢印Ｐ１方向）において、先行する一対のローラ１７，１８は、移動方向の前方側に向かって、その間隔を広げながら回転する。これにより、図４（ａ）及び図５（ａ）に示すように、各ローラ１７，１８が、肌３４を押し広げるようにして押圧してマッサージする。このとき、移動方向において後行する一対のローラ１９，２０も、ローラ１７，１８と同様に回転する。従って、先行するローラ１７，１８によって押圧された箇所が、後行するローラ１９，２０によって、再び、押圧されてマッサージされる。
【００２８】
更に、この場合、使用者の肌３４がローラ１７〜２０の外周面に接触しているとともに、使用者の手がハンドル２２表面の導電部に接触している。このため、太陽電池パネル３３で発電された電力により、ローラ１７〜２０から肌３４及び使用者の手を介して微弱電流が流れて肌３４を刺激し、血流の促進やリンパ液の循環促進が図られる。
【００２９】
その後、先程の移動方向とは反対側に移動させた場合について説明する。この場合、美容器１１は、矢印Ｐ１とは反対方向に移動し、各ローラ１７〜２０は、図３の円弧矢印Ｑ１，Ｑ２，Ｑ３，Ｑ４と反対方向に回転する。この場合、先程は後行していたローラ１９，２０が、ローラ１７，１８に対して先行することになる。
この場合、一対のローラ１９，２０が、その前部側が移動方向の後部側に狭まるとともに交差した軸線を中心にして内向きに回転される。これにより、図４（ｂ）及び図５（ｂ）に示すように、両ローラ１９，２０間において肌３４が、ローラ１９，２０の回転に伴って、巻き上げるようにして摘み上げられて、マッサージされる。更に、後行する一対のローラ１７，１８も、先行する一対のローラ１９，２０と同様に回転する。従って、先行するローラ１９，２０によって摘み上げられた箇所が、後行するローラ１７，１８によって、再び、摘み上げられて、マッサージされる。なお、この場合にも、太陽電池パネル３３で発電された電力により、ローラ１７〜２０から肌３４及び使用者の手を介して微弱電流が流れて肌３４を刺激する。
【００３０】
このため、上記実施形態では、以下の効果を得ることができる。
（１）本実施形態においては、美容器１１のフレーム１２には２対の支持軸１３，１４，１５，１６が突設されている。各支持軸１３〜１６には、マッサージ用のほぼ球体形状のローラ１７〜２０がそれぞれ回転可能に支持されている。対となる支持軸１３，１４及び支持軸１５，１６は、正面投影において先広がり傾斜状をなすように配置されている。更に、各支持軸１３〜１６は、フレーム１２に各支持軸１３〜１６が固定された固定位置を基準にして、移動方向軸に対して同じ角度で傾斜するように配置されている。このため、この美容器１１を矢印Ｐ１方向に移動させると、先行のローラ１７，１８によって、肌３４を押圧するようなマッサージ効果が得られた箇所に、後行のローラ１９，２０によって再び押圧するようなマッサージ効果が得られる。この美容器１１を矢印Ｐ１とは逆方向に移動させると、先行のローラ１９，２０によって、肌３４を摘み上げるようなマッサージ効果が得られた箇所に、後行のローラ１７，１８によって再び摘み上げるようなマッサージ効果が得られる。従って、２対のローラ１７〜２０によって、肌３４の同じ箇所に押圧又は摘み上げのマッサージを短時間で繰り返して行なうことができる。更に、肌は同じ方向に同じ刺激を繰り返して受けるので、リンパの流れを更に促進することができる。
【００３１】
（２）本実施形態においては、対となるローラ１７〜２０における支持軸１３，１４（支持軸１５，１６）の先端は、すべて間隔Ｌ１だけ離れるように形成されている。これにより、対になるローラ１７〜２０によって同じ範囲の肌に対して刺激を繰り返して行なうことができるので、効率よくマッサージすることができる。
【００３２】
（３）本実施形態においては、美容器１１のフレーム１２には、ハンドル２２が設けられている。このため、ハンドル２２を把持して美容器１１を容易に移動させることができ、マッサージを適切に行なうことができる。
【００３３】
（４）本実施形態における美容器１１は、ハンドル２２の向きがフレーム１２に対して変更可能に構成されるとともに、所望の角度で保持されるようになっている。このため、例えばマッサージの部位に応じて、ハンドル２２の向きを変更することにより、フレーム１２を所望の方向に自由に、かつ無理なく移動させることができて、良好な操作性とマッサージ効果とを得ることができる。
【００３４】
（５）本実施形態では、ローラ１７〜２０は球形状で構成されている。このため、ローラ１７〜２０が肌３４に狭い面積で接触し、肌３４の局部に対して集中して押圧力や摘み上げ力を作用させることができる。更に、肌３４に対してローラ１７〜２０の動きがスムーズで、移動方向も簡単に変えることができる。
【００３５】
（変更例）
また、この実施形態は、次のように変更してもよい。
・  上記実施形態においては、２対のローラ１７〜２０を備えた美容器１１とした。複数対のローラを備えた美容器であれば、ローラの数は２対に限定されず、３対以上であってもよい。
【００３６】
・  上記実施形態においては、ローラ１７〜２０を支持する支持軸１３〜１６のうち、移動方向に整列している支持軸１３，１５（又は支持軸１４，１６）は、その軸中心がすべて平行となるように配置されている。これに限らず、移動方向に整列する支持軸１３，１５（又は支持軸１４，１６）は、美容器の移動方向に対して肌を同じ方向に押圧して摘み上げることができれば、すなわち、フレームに前記支持軸が固定された固定位置を基準にして、前記各回転体の支持軸を、移動方向軸において同じ方向側に傾斜させていれば、すべて同じ角度でなくてもよい。
また、上記実施形態においては、対となるローラ１７，１８（１９，２０）の支持軸１３，１４（１５，１６）は、正面投影において先広がり傾斜状をなすように配置した。対となるローラ１７，１８（１９，２０）の支持軸１３，１４（１５，１６）の配置は、これに限らず、例えば、正面投影において先狭まり傾斜状であってもよい。すなわち、対となるローラ１７，１８同士が、異なる方向に傾斜していれば、マッサージ効果を得ることができる。
【００３７】
・  上記実施形態においては、対となるローラ１７，１８（１９，２０）の間隔Ｌ１は同じにしたが、対となるローラの間隔をすべて同じにしなくてもよい。更に、対となるローラ１７，１８（１９，２０）の中心点同士を結んだ線の中心が、一直線上に並ぶようにローラ１７，１８（１９，２０）を配置してもよいし、ずれるようにローラ１７，１８（１９，２０）を配置してもよい。
更に、上記実施形態では、移動方向に整列している各支持軸１３，１５（又は支持軸１４，１６）の間隔Ｌ２は、対となるローラの間隔Ｌ１より広くしたが、移動方向に整列している各支持軸１３，１５（又は支持軸１４，１６）の間隔Ｌ２は、対となるローラの間隔Ｌ１と同じでもよいし、狭くてもよい。すなわち、移動方向に整列している各支持軸１３，１５（又は支持軸１４，１６）の間隔Ｌ２は、肌領域への刺激を連続して行なえる距離であればよい。
【００３８】
更に、すべてのローラを異なる径で構成してもよいし、対となるローラを同じ径で構成してもよい。
・  図９に示すように、支持軸１３〜１６の中心軸線１００とローラ１７〜２０の中心軸線１０１とを一致させず、それらを異なる位置に配置して、支持軸１３〜１６の中心軸線１００に対してローラ１７〜２０の中心軸線１０１を傾斜させてもよい。この場合、ローラ１７〜２０の中心軸線１０１は支持軸１３〜１６の中心軸線１００に対して交差しても交差しなくてもよい。このようにすれば、図９に２点鎖線で示すように、ローラ１７〜２０はその回転にともなって揺動するため、皮膚への当接圧力に強弱を付けることができる。中心軸線１０１を傾斜させたローラは少なくともひとつ設けられる。
・  図１０に示すように、支持軸１３〜１６の中心軸線１００に対してローラ１７〜２０の中心軸線１０１を偏心させてもよい。この場合、ローラ１７〜２０の中心軸線１０１は支持軸１３〜１６の中心軸線１００に対して平行である。このようにすれば、図１０に２点鎖線で示すように、ローラ１７〜２０は偏心回転するため、皮膚への当接圧力に強弱を付けることができる。中心軸線１０１を偏心させたローラは少なくともひとつ設けられる。
・  少なくとも１個のローラ１７〜２０において、支持軸１３〜１６をフレーム１２に軸受を介して回転可能に支持するとともに、その支持軸１３〜１６にローラ１７〜２０を固定させてもよい。従って、この構成においては、支持軸１３〜１６とローラ１７〜２０とが一体に回転される。また、この構成において、図示はしないが、少なくとも１個のローラ１７〜２０において、支持軸１３〜１６の脚部１２１に支持される部分と、ローラ１７〜２０を支持する部分との間において、支持軸１３〜１６を屈曲または湾曲させてもよい。このようにすれば、支持軸１３〜１６が全体として「く」の字状やクランク状になる。従って、ローラ１７〜２０が揺動しながら回転されたり、偏心回転されたりするため、皮膚への当接圧力に強弱を付けることができる。
【００３９】
・  図１１〜１４に示すように、ローラ１７〜２０の形状を変更してもよい。図１１ではローラ１７〜２０が球形に形成され、図１２では楕円球形あるいはラグビーボール形状に形成され、図１３では両端を半球状にした円筒状に形成され、図１４では一端側を半球状にしたバルーン形状に形成されている。さらに、例えば、両端を切り落とした平面状にするとともに、外周面が円筒面を有する筒形状、すなわちドラム状あるいは樽状にしたり、多角形の筒形状（１０角筒，１２角筒等）にしてもよい。なお、前記のようにバルーン形状に形成された場合は、曲率の大きな先端側の部分で肌を摘まみ上げ、曲率の小さな部分で摘まみ上げ状態を保持できるため、摘まみ上げ効果を向上させることができる。
・  ローラ１７〜２０の表面の小平面１７１，１８１，１９１，２０１の形状を変更してもよい。例えば、図１１のように四角形にしたり、図１２のように細長形状にしたり、図１４のように円形状にしたりしてもよい。なお、図１２では、ローラ１７〜２０の最大径部に環状のライン１０３が付されている。図１３のローラ１７〜２０は、表面が平滑で、小平面１７１，１８１，１９１，２０１は形成されていないが、その表面を梨地状にしたり、多数の小孔を有するディンプル状にしたりしてもよい。
・  ローラ１７〜２０として表面に多数のイボ状の突起を有する形状にしてもよい。
・  少なくとも１個のローラ１７〜２０において、ほぼ球状あるいはラグビーボール形状等の各種形状のローラ１７〜２０の皮膚と接する部分における外周の一部または複数部分を凹ませたり、突出させたりしてもよい。このようにすれば、ローラ１７〜２０の回転にともない、ローラ１７〜２０間の間隔が変化するため、皮膚への当接圧力に強弱を付けることができる。
【００４０】
・  上記実施形態においては、ローラ１７〜２０が回転可能に取り付けられたフレーム１２に、このフレームとは回転角度調整可能なハンドル２２を設けた。これに限られず、フレームをハンドルとして機能と一体にしてもよい。この場合、フレームがハンドルとして機能するようにしてもよいし、フレームとハンドルを一体固定してもよい。例えば、図６において、ローラ１９，２０側のフレーム１２の端部を更に延在させて、ここを把持部とすることにより、フレームをハンドルとして機能させてもよい。
更に、フレーム１２とハンドル２２との回転角度調整は、カラー２６の係合突起２７を、各対の係合凹部２８〜３１に係合することにより、段階的に行なった。フレーム１２とハンドルとの回転角度の調整は、この構成に限られない。例えば、配列ピッチの形状を変更したり、任意の角度で係止部材を設けたりして、自由に角度調整を行なう機構によって行なってもよい。
【００４１】
・  上記実施形態においては、フレーム１２、ハンドル２２及びローラ１７〜２０等を、合成樹脂で形成し、外表面に金属メッキを施した。これらを構成する材料は、合成樹脂以外であってもよく、例えば、金属や木，あるいは石やセラミック等によって形成してもよい。更に、外表面の金属メッキを省略してもよい。この場合、太陽電池パネル３３を省略してもよいし、埋め込み型の出力端子をフレーム１２，ハンドル２２，ローラ１７〜２０等の表面に設けて、使用者の肌が接触できるようにしてもよい。更に、フレーム１２，ハンドル２２，ローラ１７〜２０の外表面を軟質樹脂やセラミック等によってコーティングしてもよい。
・  長辺上において隣接したり、対角線上において隣接したりするローラ１７〜２０間に電位差が形成されようにしてもよい。このようにすれば、ローラ１７〜２０間に交流電流やパルス電流を供給することにより、ローラ１７〜２０間の皮膚や筋肉に対して電気マッサージを与えることができる。ただし、この場合は、電位差が形成されるローラ１７〜２０間に電気絶縁構造を設ける必要がある。
【符号の説明】
【００４２】
１１…美容器、１２…フレーム、１３，１４，１５，１６…支持軸、１７，１８，１９，２０…ローラ、２２…ハンドル、３３…太陽電池パネル、１００，１０１…中心軸線、Ｌ１，Ｌ２…軸間間隔。
【図１】
2014226335.tif 000003
【図２】
2014226335.tif 000004
【図３】
2014226335.tif 000005
【図４】
2014226335.tif 000006
【図５】
2014226335.tif 000007
【図６】
2014226335.tif 000008
【図７】
2014226335.tif 000009
【図８】
2014226335.tif 000010
【図９】
2014226335.tif 000011
【図１０】
2014226335.tif 000012
【図１１】
2014226335.tif 000013
【図１２】
2014226335.tif 000014
【図１３】
2014226335.tif 000015
【図１４】
2014226335.tif 000016